(57)【要約】【課題】従来と比較して容易な作業で第１の基板の回路と第２の基板の回路とが接続される基板接続装置を提供すること。【解決手段】基板接続装置１００は、第１の基板と、貫通穴１３１ｂが形成され第１の基板に対向して配置された第２の基板１３０と、第２の基板１３０側に突出した突出端部１４０ａを一端側に有し他端側が第１の基板に固定されて第１の基板の回路に接続された第１の端子１４０と、突出端部１４０ａが挿入される貫通した端子挿入穴１７１ｂが貫通穴１３１ｂに対向する位置に形成され第２の基板１３０に固定されたソケット１７０と、端子挿入穴１７１ｂに挿入された突出端部１４０ａに接続する導出端部を一端側に有し他端側が第２の基板１３０に固定されて第２の基板１３０の回路に接続された第２の端子１８０とを備えるようにする。【選択図】　　　図１
2004006086.tif 000002
【特許請求の範囲】
【請求項１】
第１の基板と、貫通穴が形成され前記第１の基板に対向して配置された第２の基板と、前記第２の基板側に突出した突出端部を一端側に有し他端側が前記第１の基板に固定されて前記第１の基板の回路に接続された第１の端子と、前記突出端部が挿入される貫通した端子挿入穴が前記貫通穴に対向する位置に形成され前記第２の基板に固定された端子挿入部と、前記端子挿入穴に挿入された前記突出端部に接続する導出端部を一端側に有し他端側が前記第２の基板に固定されて前記第２の基板の回路に接続された第２の端子とを備えたことを特徴とする基板接続装置。
【請求項２】
前記第１の端子を複数備えたことを特徴とする請求項１に記載の基板接続装置。
【請求項３】
前記第２の基板側に突出して前記突出端部に対して固定された突起部と、前記突起部が挿入される貫通した突起挿入穴が形成され前記第２の基板に固定された突起挿入部とを備え、
前記貫通穴は、前記突起挿入穴に対向する位置に形成されたことを特徴とする請求項１又は請求項２に記載の基板接続装置。
【請求項４】
第１の基板と、貫通穴が形成され前記第１の基板に対向して配置された第２の基板と、前記第２の基板側に突出した突出端部を一端側に有し他端側が前記第１の基板に固定されて前記第１の基板の回路に接続された第１の端子と、前記第２の基板側に突出して前記突出端部に対して固定された突起部と、前記突出端部が挿入される端子挿入穴が形成され前記第２の基板に固定された端子挿入部と、前記端子挿入穴に挿入された前記突出端部に接続する導出端部を一端側に有し他端側が前記第２の基板に固定されて前記第２の基板の回路に接続された第２の端子と、前記突起部が挿入される貫通した突起挿入穴が前記貫通穴に対向する位置に形成され前記第２の基板に固定された突起挿入部とを備えたことを特徴とする基板接続装置。
【請求項５】
前記第１の基板と前記第２の基板との間に、電磁波を遮蔽する材料から形成された遮蔽部を備え、
前記遮蔽部は、前記第１の端子を通過させる通過穴が形成されたことを特徴とする請求項１から請求項４までの何れかに記載の基板接続装置。
【請求項６】
請求項１から請求項５までの何れかに記載の基板接続装置を備えたことを特徴とする電子機器。
【請求項７】
第１の基板、貫通穴が形成された第２の基板、突出端部を一端側に有し他端側が前記第１の基板に固定されて前記第１の基板の回路に接続された第１の端子、前記突出端部が挿入される貫通した端子挿入穴が前記貫通穴に対向する位置に形成され前記第２の基板に固定された端子挿入部、及び、前記端子挿入穴に挿入された前記突出端部に接続する導出端部を一端側に有し他端側が前記第２の基板に固定されて前記第２の基板の回路に接続された第２の端子を準備する準備工程と、
前記突出端部が前記第２の基板側に突出するように、前記第１の基板及び前記第２の基板を互いに対向して配置する配置工程と、
前記第２の基板に対して前記第１の基板側とは反対側から前記端子挿入穴及び前記貫通穴を通して前記突出端部を検出する検出工程と、
前記検出工程で前記突出端部が検出されたとき、前記突出端部が前記端子挿入穴に挿入されるように前記第１の基板及び前記第２の基板のうち何れか一方に対して他方を移動して固定する固定工程とを有することを特徴とする基板接続装置の組立方法。
【請求項８】
第１の基板、貫通穴が形成された第２の基板、突出端部を一端側に有し他端側が前記第１の基板に固定されて前記第１の基板の回路に接続された第１の端子、前記突出端部に対して固定された突起部、前記突出端部が挿入される端子挿入穴が形成され前記第２の基板に固定された端子挿入部、前記端子挿入穴に挿入された前記突出端部に接続する導出端部を一端側に有し他端側が前記第２の基板に固定されて前記第２の基板の回路に接続された第２の端子、及び、前記突起部が挿入される貫通した突起挿入穴が前記貫通穴に対向する位置に形成され前記第２の基板に固定された突起挿入部を準備する準備工程と、
前記突出端部及び前記突起部が前記第２の基板側に突出するように、前記第１の基板及び前記第２の基板を互いに対向して配置する配置工程と、
前記第２の基板に対して前記第１の基板側とは反対側から前記突起挿入穴及び前記貫通穴を通して前記突起部を検出する検出工程と、
前記検出工程で前記突起部が検出されたとき、前記突起部が前記突起挿入穴に挿入されるように前記第１の基板及び前記第２の基板のうち何れか一方に対して他方を移動して固定する固定工程とを有することを特徴とする基板接続装置の組立方法。
【発明の詳細な説明】
【０００１】
【発明の属する技術分野】
本発明は、互いに対向して配置された複数の基板を接続する基板接続装置、基板接続装置を備えた電子機器、及び、基板接続装置の組立方法に関するものである。
【０００２】
【従来の技術】
従来、互いに対向して配置された複数の基板を接続する基板接続装置として、図２０から図２３までに示すような基板接続装置９００が知られている。
【０００３】
基板接続装置９００は、ケース９１０にネジ９０１を含む複数のネジによって固定された第１の基板９２０と、第１の基板９２０に対向して配置され、ケース９１０にネジ９０２を含む複数のネジによって固定された第２の基板９３０とを備えている。
【０００４】
また、基板接続装置９００は、第１の基板９２０に固定され、第２の基板９３０側に突出した１４（複数）本の第１の端子９２１と、第１の端子９２１を第１の基板９２０の回路に接続しながら第１の基板９２０に固定するコネクタ９２２と、第１の端子９２１に固定されたプラグ９２３とを備えている。
【０００５】
ここで、コネクタ９２２は、第１の基板９２０に形成された穴９２０ａ及び穴９２０ｂに挿入される爪部９２２ａ及び爪部９２２ｂを有しており、第１の基板９２０の穴９２０ａ及び穴９２０ｂに挿入された爪部９２２ａ及び爪部９２２ｂで第１の基板９２０に係合することによって、第１の基板９２０に固定されている。
【０００６】
また、基板接続装置９００は、第１の端子９２１が挿入される図示していない１４個の端子挿入穴が形成され、第２の基板９３０に固定されたソケット９３１と、ソケット９３１によって第２の基板９３０の回路に接続されながら第２の基板９３０に固定され、ソケット９３１の端子挿入穴に挿入された第１の端子９２１に接続する１４本の第２の端子９３２とを備えている。
【０００７】
ここで、ソケット９３１は、第２の基板９３０に形成された穴９３０ａ及び穴９３０ｂに挿入される爪部９３１ａ及び爪部９３１ｂと、第２の基板９３０に形成された穴９３０ｃ及び穴９３０ｄに挿入される突出部９３１ｃ及び突出部９３１ｄとを有しており、第２の基板９３０の穴９３０ａ、穴９３０ｂ、穴９３０ｃ及び穴９３０ｄに挿入された爪部９３１ａ、爪部９３１ｂ、突出部９３１ｃ及び突出部９３１ｄで第２の基板９３０に係合することによって、第２の基板９３０に固定されている。
【０００８】
なお、基板接続装置９００は、次のように組み立てられる。
【０００９】
まず、図２３に示すように、第１の端子９２１、コネクタ９２２及びプラグ９２３が、作業者によって第１の基板９２０に固定され、更に第１の基板９２０が、作業者によってケース９１０にネジ９０１（図２１参照）を含む複数のネジで固定される。
【００１０】
また、ソケット９３１及び第２の端子９３２が、作業者によって第２の基板９３０に固定される。
【００１１】
次いで、第２の基板９３０が、作業者によって、プラグ９２３がソケット９３１に差し込まれるように、ケース９１０に対して矢印９００ａで示す方向に図２２に示す位置まで移動させられた後、ケース９１０にネジ９０２を含む複数のネジで固定されて図２０から図２２までに示す状態にされる。
【００１２】
【発明が解決しようとする課題】
しかしながら、上記従来の基板接続装置９００においては、第１の端子９２１がソケット９３１の端子挿入穴に挿入されること、即ち、第１の基板９２０の回路と、第２の基板９３０の回路とが作業者によって接続されることは困難であるという問題があった。
【００１３】
例えば、第１の端子９２１が作業者によってソケット９３１の端子挿入穴に挿入されるときに、図２０及び図２１に示すようにケース９１０の側面板９１１が第１の端子９２１のソケット９３１側の突出端部９２１ａ（図２３参照）を隠蔽するので、作業者は、第１の基板９２０及び第２の基板９３０の間から第１の端子９２１とソケット９３１の端子挿入穴との位置関係を視認することができない状態で、第１の端子９２１とソケット９３１の端子挿入穴との位置合わせを行わなければならず、第１の基板９２０の回路と、第２の基板９３０の回路とを接続することが困難であった。
【００１４】
また、第１の端子９２１が作業者によってソケット９３１の端子挿入穴に挿入されるときに、仮にケース９１０の側面板９１１が第１の端子９２１の突出端部９２１ａを隠蔽しない場合であっても、作業者は、第１の基板９２０及び第２の基板９３０の間から側面板９１１側から第１の端子９２１とソケット９３１の端子挿入穴とを視認することができるものの、第１の端子９２１とソケット９３１の端子挿入穴との矢印９００ｂ（図２０及び図２１参照）で示す側面板９１１と略直交する方向の位置関係を視認することができない状態で、第１の端子９２１とソケット９３１の端子挿入穴との位置合わせを行わなければならず、第１の基板９２０の回路と、第２の基板９３０の回路とを接続することが困難であった。
【００１５】
そこで、本発明は、従来と比較して容易な作業で第１の基板の回路と第２の基板の回路とが接続される基板接続装置を提供することを目的とする。
【００１６】
【課題を解決するための手段】
上記課題を解決するために、本発明の基板接続装置は、第１の基板と、貫通穴が形成され前記第１の基板に対向して配置された第２の基板と、前記第２の基板側に突出した突出端部を一端側に有し他端側が前記第１の基板に固定されて前記第１の基板の回路に接続された第１の端子と、前記突出端部が挿入される貫通した端子挿入穴が前記貫通穴に対向する位置に形成され前記第２の基板に固定された端子挿入部と、前記端子挿入穴に挿入された前記突出端部に接続する導出端部を一端側に有し他端側が前記第２の基板に固定されて前記第２の基板の回路に接続された第２の端子とを備えた構成を有している。
【００１７】
この構成により、本発明の基板接続装置は、突出端部が作業者によって端子挿入穴に挿入されるときに、作業者に、第２の基板に対して第１の基板側とは反対側から貫通穴及び端子挿入穴を通して突出端部と端子挿入穴との位置関係を視認させることができるので、従来と比較して容易に第１の基板の回路と第２の基板の回路とが作業者によって接続されることができる。また、作業者に突出端部と端子挿入穴との位置関係を視認させることができるので、突出端部が挿入されるべき端子挿入穴とは異なる端子挿入穴に誤って挿入されることを防止することができる。また、作業者に突出端部と端子挿入穴との位置関係を視認させることができるので、作業者に突出端部が端子挿入穴に挿入されている状態を確認させて第１の基板の回路と第２の基板の回路との接続に不良が生じることを防止することができる。
【００１８】
また、本発明の基板接続装置は、前記第１の端子を複数備えた構成を有している。
【００１９】
この構成により、本発明の基板接続装置は、複数の第１の端子の突出端部が作業者によって複数の端子挿入穴に挿入されるときに、作業者に、第２の基板に対して第１の基板側とは反対側から貫通穴及び端子挿入穴を通して突出端部と端子挿入穴との位置関係、及び、複数の第１の端子の突出端部に対する複数の端子挿入穴の角度を視認させることができる。また、第１の基板と第２の基板との間で複数の信号の入出力を行うことができる。
【００２０】
また、本発明の基板接続装置は、前記第２の基板側に突出して前記突出端部に対して固定された突起部と、前記突起部が挿入される貫通した突起挿入穴が形成され前記第２の基板に固定された突起挿入部とを備え、前記貫通穴は、前記突起挿入穴に対向する位置に形成された構成を有している。
【００２１】
また、本発明の基板接続装置は、第１の基板と、貫通穴が形成され前記第１の基板に対向して配置された第２の基板と、前記第２の基板側に突出した突出端部を一端側に有し他端側が前記第１の基板に固定されて前記第１の基板の回路に接続された第１の端子と、前記第２の基板側に突出して前記突出端部に対して固定された突起部と、前記突出端部が挿入される端子挿入穴が形成され前記第２の基板に固定された端子挿入部と、前記端子挿入穴に挿入された前記突出端部に接続する導出端部を一端側に有し他端側が前記第２の基板に固定されて前記第２の基板の回路に接続された第２の端子と、前記突起部が挿入される貫通した突起挿入穴が前記貫通穴に対向する位置に形成され前記第２の基板に固定された突起挿入部とを備えた構成を有している。
【００２２】
これらの構成により、本発明の基板接続装置は、突出端部が作業者によって端子挿入穴に挿入されるときに、作業者に、第２の基板に対して第１の基板側とは反対側から貫通穴及び突起挿入穴を通して突起部と突起挿入穴との位置関係を視認させることができ、突起部と突起挿入穴との位置関係に基づいて突出端部と端子挿入穴との位置関係を間接的に確認させることができるので、従来と比較して容易に第１の基板の回路と第２の基板の回路とが作業者によって接続されることができる。また、本発明の基板接続装置は、作業者に突出端部と端子挿入穴との位置関係を確認させることができるので、突出端部が挿入されるべき端子挿入穴とは異なる端子挿入穴に誤って挿入されることを防止することができる。
【００２３】
また、本発明の基板接続装置は、前記第１の基板と前記第２の基板との間に、電磁波を遮蔽する材料から形成された遮蔽部を備え、前記遮蔽部は、前記第１の端子を通過させる通過穴が形成された構成を有している。
【００２４】
この構成により、本発明の基板接続装置は、遮蔽部を備えていない場合と比較して、第１の基板の回路と第２の基板の回路との何れか一方が他方へ放射する電磁波を遮蔽させることができる。
【００２５】
また、本発明の電子機器は、基板接続装置を備えた構成を有している。
【００２６】
この構成により、本発明の電子機器は、従来と比較して容易に第１の基板の回路と第２の基板の回路とが接続されることができる。
【００２７】
また、本発明の基板接続装置の組立方法は、第１の基板、貫通穴が形成された第２の基板、突出端部を一端側に有し他端側が前記第１の基板に固定されて前記第１の基板の回路に接続された第１の端子、前記突出端部が挿入される貫通した端子挿入穴が前記貫通穴に対向する位置に形成され前記第２の基板に固定された端子挿入部、及び、前記端子挿入穴に挿入された前記突出端部に接続する導出端部を一端側に有し他端側が前記第２の基板に固定されて前記第２の基板の回路に接続された第２の端子を準備する準備工程と、前記突出端部が前記第２の基板側に突出するように、前記第１の基板及び前記第２の基板を互いに対向して配置する配置工程と、前記第２の基板に対して前記第１の基板側とは反対側から前記端子挿入穴及び前記貫通穴を通して前記突出端部を検出する検出工程と、前記検出工程で前記突出端部が検出されたとき、前記突出端部が前記端子挿入穴に挿入されるように前記第１の基板及び前記第２の基板のうち何れか一方に対して他方を移動して固定する固定工程とを有している。
【００２８】
したがって、本発明の基板接続装置は、突出端部が作業者によって端子挿入穴に挿入されるときに、作業者に、第２の基板に対して第１の基板側とは反対側から貫通穴及び端子挿入穴を通して突出端部と端子挿入穴との位置関係を視認させることができるので、従来と比較して容易に第１の基板の回路と第２の基板の回路とが作業者によって接続されることができる。また、作業者に突出端部と端子挿入穴との位置関係を視認させることができるので、突出端部が挿入されるべき端子挿入穴とは異なる端子挿入穴に誤って挿入されることを防止することができる。また、作業者に突出端部と端子挿入穴との位置関係を視認させることができるので、作業者に突出端部が端子挿入穴に挿入されている状態を確認させて第１の基板の回路と第２の基板の回路との接続に不良が生じることを防止することができる。
【００２９】
また、本発明の基板接続装置の組立方法は、第１の基板、貫通穴が形成された第２の基板、突出端部を一端側に有し他端側が前記第１の基板に固定されて前記第１の基板の回路に接続された第１の端子、前記突出端部に対して固定された突起部、前記突出端部が挿入される端子挿入穴が形成され前記第２の基板に固定された端子挿入部、前記端子挿入穴に挿入された前記突出端部に接続する導出端部を一端側に有し他端側が前記第２の基板に固定されて前記第２の基板の回路に接続された第２の端子、及び、前記突起部が挿入される貫通した突起挿入穴が前記貫通穴に対向する位置に形成され前記第２の基板に固定された突起挿入部を準備する準備工程と、前記突出端部及び前記突起部が前記第２の基板側に突出するように、前記第１の基板及び前記第２の基板を互いに対向して配置する配置工程と、前記第２の基板に対して前記第１の基板側とは反対側から前記突起挿入穴及び前記貫通穴を通して前記突起部を検出する検出工程と、前記検出工程で前記突起部が検出されたとき、前記突起部が前記突起挿入穴に挿入されるように前記第１の基板及び前記第２の基板のうち何れか一方に対して他方を移動して固定する固定工程とを有している。
【００３０】
したがって、本発明の基板接続装置は、突出端部が作業者によって端子挿入穴に挿入されるときに、作業者に、第２の基板に対して第１の基板側とは反対側から貫通穴及び突起挿入穴を通して突起部と突起挿入穴との位置関係を視認させることができ、突起部と突起挿入穴との位置関係に基づいて突出端部と端子挿入穴との位置関係を間接的に確認させることができるので、従来と比較して容易に第１の基板の回路と第２の基板の回路とが作業者によって接続されることができる。また、本発明の基板接続装置は、作業者に突出端部と端子挿入穴との位置関係を確認させることができるので、突出端部が挿入されるべき端子挿入穴とは異なる端子挿入穴に誤って挿入されることを防止することができる。
【００３１】
【発明の実施の形態】
以下、本発明の一実施の形態について、図面を用いて説明する。
【００３２】
まず、本実施の形態に係る基板接続装置の構成について説明する。
【００３３】
図１から図３までにおいて、本実施の形態に係る基板接続装置１００は、ネジ穴１１０ａ、ネジ穴１１０ｂ、ネジ穴１１０ｃ、ネジ穴１１０ｄ、ネジ穴１１０ｅ（図４参照）及び図示していない５個のネジ穴が形成された金属製のケース１１０を備えている。
【００３４】
また、基板接続装置１００は、ネジ１０１を含む５本のネジが挿入されたネジ挿入穴１２０ａ、ネジ挿入穴１２０ｂ、ネジ挿入穴１２０ｃ、ネジ挿入穴１２０ｄ及びネジ挿入穴１２０ｅ（図５参照）が形成された第１の基板１２０を備えている。ここで、ネジ１０１を含む５本のネジが、第１の基板１２０のネジ挿入穴１２０ａ、ネジ挿入穴１２０ｂ、ネジ挿入穴１２０ｃ、ネジ挿入穴１２０ｄ及びネジ挿入穴１２０ｅに挿入されて、ケース１１０の図示していない５個のネジ穴でケース１１０に固定されることによって、第１の基板１２０は、ケース１１０に固定されている。
【００３５】
また、基板接続装置１００は、ネジ１０２、ネジ１０３、ネジ１０４、ネジ１０５及びネジ１０６（図６参照）が挿入されたネジ挿入穴１３０ａ、ネジ挿入穴１３０ｂ、ネジ挿入穴１３０ｃ、ネジ挿入穴１３０ｄ及びネジ挿入穴１３０ｅ（図７参照）が形成され、第１の基板１２０に対向して配置された第２の基板１３０を備えている。ここで、ネジ１０２、ネジ１０３、ネジ１０４、ネジ１０５及びネジ１０６が、第２の基板１３０のネジ挿入穴１３０ａ、ネジ挿入穴１３０ｂ、ネジ挿入穴１３０ｃ、ネジ挿入穴１３０ｄ及びネジ挿入穴１３０ｅに挿入されて、ケース１１０のネジ穴１１０ａ、ネジ穴１１０ｂ、ネジ穴１１０ｃ、ネジ穴１１０ｄ、ネジ穴１１０ｅ（図４参照）でケース１１０に固定されることによって、第２の基板１３０は、ケース１１０に固定されている。
【００３６】
また、基板接続装置１００は、第２の基板１３０側に突出した突出端部１４０ａを一端側に有し、他端側が第１の基板１２０に固定された１４本の金属製の第１の端子１４０と、第１の端子１４０が挿入された１４個の穴１５１ａ（図８参照）が形成された本体１５１、爪部１５２及び爪部１５３を有し、穴１５１ａに挿入された第１の端子１４０を第１の基板１２０の回路に接続しながら第１の基板１２０に固定する樹脂製のコネクタ１５０と、第２の基板１３０側に突出した突起部１６１及び突起部１６２を有し、第１の端子１４０が挿入された１４個の穴１６３（図８参照）が形成され、第１の端子１４０に固定されることによって突出端部１４０ａに対して固定された樹脂製のプラグ１６０とを備えている。
【００３７】
ここで、第１の基板１２０は、第１の端子１４０が挿入される１４個の穴１２１ａ（図５参照）と、コネクタ１５０の爪部１５２及び爪部１５３が挿入される穴１２１ｂ及び穴１２１ｃ（図５参照）とが形成されている。そして、コネクタ１５０は、第１の基板１２０の穴１２１ｂ及び穴１２１ｃに挿入された爪部１５２及び爪部１５３で第１の基板１２０に係合することによって、第１の基板１２０に固定されている。また、コネクタ１５０に固定された第１の端子１４０は、第１の基板１２０の穴１２１ａに挿入されて、第１の基板１２０に対して第２の基板１３０側とは反対側から第１の基板１２０に半田付けされている。
【００３８】
また、基板接続装置１００は、１４個の穴１７１ａ（図９参照）、第１の端子１４０の突出端部１４０ａが挿入される貫通した１４個の端子挿入穴１７１ｂ、プラグ１６０の突起部１６１が挿入される貫通した突起挿入穴１７１ｃ、及び、プラグ１６０の突起部１６２が挿入される貫通した突起挿入穴１７１ｄが形成された本体１７１と、爪部１７２及び爪部１７３と、突出部１７４及び突出部１７５とを有し、第２の基板１３０に固定された樹脂製のソケット１７０を備えている。
【００３９】
また、基板接続装置１００は、ソケット１７０の端子挿入穴１７１ｂに導出され、端子挿入穴１７１ｂに挿入された第１の端子１４０の突出端部１４０ａに接続する導出端部１８０ａ（図９参照）を一端側に有し、ソケット１７０の穴１７１ａに挿入され、ソケット１７０によって第２の基板１３０の回路に接続されながら第２の基板１３０に固定された端部１８０ｂ（図９参照）を他端側に有し、導出端部１８０ａ及び端部１８０ｂを接続する接続部１８０ｃ（図９参照）をソケット１７０の内部に有する１４本の金属製の第２の端子１８０を備えている。
【００４０】
ここで、第２の基板１３０は、第２の端子１８０が挿入される１４個の穴１３１ａと、ソケット１７０の爪部１７２及び爪部１７３が挿入される貫通穴１３１ｂと、ソケット１７０の突出部１７４及び突出部１７５が挿入される穴１３１ｃ及び穴１３１ｄとが形成されている。そして、ソケット１７０は、第２の基板１３０の貫通穴１３１ｂに挿入された爪部１７２及び爪部１７３と、第２の基板１３０の穴１３１ｃ及び穴１３１ｄに挿入された突出部１７４及び突出部１７５とで第２の基板１３０に係合することによって、第２の基板１３０に固定されている。また、ソケット１７０に固定された第２の端子１８０は、第２の基板１３０の穴１３１ａに挿入されて、第２の基板１３０に対して第１の基板１２０側とは反対側から第２の基板１３０に半田付けされている。
【００４１】
なお、第２の基板１３０の回路の集積度を第１の基板１２０の回路の集積度より大きくするため、第２の端子１８０の端部１８０ｂ（図９参照）の間隔は、第１の端子１４０の間隔より狭くなっている。
【００４２】
また、第２の基板１３０の貫通穴１３１ｂは、ソケット１７０の端子挿入穴１７１ｂ、突起挿入穴１７１ｃ及び突起挿入穴１７１ｄに対向する位置に形成されている。そして、ソケット１７０は、端子挿入部及び突起挿入部を構成している。
【００４３】
また、ケース１１０は、図１及び図２に示すように、第１の端子１４０の突出端部１４０ａがソケット１７０の端子挿入穴１７１ｂに挿入されるときに、第１の端子１４０の突出端部１４０ａを隠蔽する側面板１１１を有している。また、側面板１１１は、プラグ１６０の突起部１６１がソケット１７０の突起挿入穴１７１ｃに挿入されるときにも、プラグ１６０の突起部１６１のソケット１７０の本体１７１側の端部１６１ａ（図３参照）を隠蔽するようになっている。また、側面板１１１は、プラグ１６０の突起部１６２がソケット１７０の突起挿入穴１７１ｄに挿入されるときにも、プラグ１６０の突起部１６２のソケット１７０の本体１７１側の端部１６２ａ（図３参照）を隠蔽するようになっている。
【００４４】
また、基板接続装置１００は、第１の基板１２０及び第２の基板１３０の間に配置されるようにケース１１０に固定され、第１の端子１４０及びプラグ１６０を通過させる通過穴１９０ａが形成された遮蔽部としての金属製のシールド板１９０を備えている。
【００４５】
また、図６に示すように、基板接続装置１００を備えた電子機器８００は、基板接続装置１００の他に基板接続装置２００及び基板接続装置３００を備えているが、基板接続装置２００及び基板接続装置３００の構成は基板接続装置１００の構成とほぼ同様であるので、基板接続装置２００及び基板接続装置３００の構成についての詳細な説明は省略する。
【００４６】
なお、電子機器８００は、ＣＤ−ＲＯＭ再生装置と、表示装置と、位置検出装置とを備えたナビゲーション装置である。
【００４７】
次に、本実施の形態に係る基板接続装置の組立てについて説明する。
【００４８】
なお、基板接続装置２００及び基板接続装置３００の組立てについては、基板接続装置１００の組立てとほぼ同様であるので、基板接続装置２００及び基板接続装置３００の組立てについては詳細な説明を省略する。
【００４９】
まず、図８に示すような第１の端子１４０、コネクタ１５０及びプラグ１６０が互いに固定されたものは、作業者によって図５に示すような第１の基板１２０に固定されて、図１０に示すような状態にされる。
【００５０】
ここで、コネクタ１５０は、作業者によって爪部１５２及び爪部１５３が第１の基板１２０の穴１２１ｂ及び穴１２１ｃに挿入されて、第１の基板１２０に固定される。また、第１の端子１４０は、作業者によって、第１の基板１２０の穴１２１ａに挿入された後、第１の基板１２０に対してコネクタ１５０の本体１５１側とは反対側から第１の基板１２０に半田付けされる。
【００５１】
更に、図１０に示すような第１の基板１２０、第１の端子１４０、コネクタ１５０及びプラグ１６０が互いに固定されたものは、作業者によって図４に示すようなケース１１０及びシールド板１９０が互いに固定されたものに固定されて、図１１から図１４までに示すような状態にされる。
【００５２】
ここで、第１の基板１２０は、作業者によって、プラグ１６０がシールド板１９０の通過穴１９０ａを通過して、ケース１１０に対して図１３及び図１４に示す位置まで移動される。そして、ネジ１０１を含む５本のネジが、作業者によって、第１の基板１２０のネジ挿入穴１２０ａ、ネジ挿入穴１２０ｂ、ネジ挿入穴１２０ｃ、ネジ挿入穴１２０ｄ及びネジ挿入穴１２０ｅに挿入されて、ケース１１０の図示していない５個のネジ穴でケース１１０に固定されることによって、第１の基板１２０は、ケース１１０に固定される。
【００５３】
また、図９に示すようなソケット１７０及び第２の端子１８０が互いに固定されたものは、作業者によって図７に示すような第２の基板１３０に固定されて、図１５から図１８までに示すような状態にされる。
【００５４】
ここで、ソケット１７０は、作業者によって、爪部１７２及び爪部１７３が第２の基板１３０の貫通穴１３１ｂに挿入され、突出部１７４及び突出部１７５が第２の基板１３０の穴１３１ｃ及び穴１３１ｄに挿入され、第２の基板１３０に固定される。また、第２の端子１８０は、作業者によって、第２の基板１３０の穴１３１ａに挿入された後、第２の基板１３０に対してソケット１７０の本体１７１側とは反対側から第２の基板１３０に半田付けされる。
【００５５】
次いで、図１５から図１８までに示すような第２の基板１３０、ソケット１７０及び第２の端子１８０が互いに固定されたものは、作業者によって図１１から図１４までに示すようなケース１１０、第１の基板１２０、第１の端子１４０、コネクタ１５０、プラグ１６０及びシールド板１９０が互いに固定されたものに固定されて、図１から図３までに示すような状態にされる。
【００５６】
ここで、第２の基板１３０は、作業者によって、第１の端子１４０の突出端部１４０ａがソケット１７０の端子挿入穴１７１ｂに挿入され、プラグ１６０の突起部１６１及び突起部１６２がソケット１７０の突起挿入穴１７１ｃ及び突起挿入穴１７１ｄに挿入されるように、ケース１１０に対して、必要に応じて矢印１００ａ（図１９参照）で示す方向に略直交する平面内で移動又は回動されながら、矢印１００ａで示す方向に図２及び図３に示す位置まで移動される。
【００５７】
なお、基板接続装置１００は、第２の基板１３０の貫通穴１３１ｂと、ソケット１７０の端子挿入穴１７１ｂとが、第２の基板１３０に対して第１の基板１２０側から第１の基板１２０側とは反対側に貫通しているので、第１の端子１４０の突出端部１４０ａが作業者によって端子挿入穴１７１ｂに挿入されるときに、作業者に、第２の基板１３０に対して第１の基板１２０側とは反対側から端子挿入穴１７１ｂを通して第１の端子１４０の突出端部１４０ａと端子挿入穴１７１ｂとの位置関係を視認させることができる。
【００５８】
また、基板接続装置１００は、第２の基板１３０の貫通穴１３１ｂと、ソケット１７０の突起挿入穴１７１ｃ及び突起挿入穴１７１ｄとが、第２の基板１３０に対して第１の基板１２０側から第１の基板１２０側とは反対側に貫通しているので、第１の端子１４０の突出端部１４０ａが作業者によって端子挿入穴１７１ｂに挿入されるときに、作業者に、第２の基板１３０に対して第１の基板１２０側とは反対側から突起挿入穴１７１ｃ及び突起挿入穴１７１ｄを通して突起部１６１及び突起部１６２と突起挿入穴１７１ｃ及び突起挿入穴１７１ｄとの位置関係を視認させることができ、突起部１６１及び突起部１６２と突起挿入穴１７１ｃ及び突起挿入穴１７１ｄとの位置関係に基づいて第１の端子１４０の突出端部１４０ａと端子挿入穴１７１ｂとの位置関係を間接的に確認させることもできる。
【００５９】
したがって、基板接続装置１００は、作業者に第１の端子１４０の突出端部１４０ａと端子挿入穴１７１ｂとの位置関係を確認させながら、第２の基板１３０をケース１１０に対して矢印１００ａ（図１９参照）で示す方向に図２及び図３に示す位置まで移動させることができる。
【００６０】
そして、ネジ１０２、ネジ１０３、ネジ１０４、ネジ１０５及びネジ１０６が、作業者によって、第２の基板１３０のネジ挿入穴１３０ａ、ネジ挿入穴１３０ｂ、ネジ挿入穴１３０ｃ、ネジ挿入穴１３０ｄ及びネジ挿入穴１３０ｅに挿入されて、ケース１１０のネジ穴１１０ａ、ネジ穴１１０ｂ、ネジ穴１１０ｃ、ネジ穴１１０ｄ、ネジ穴１１０ｅでケース１１０に固定されることによって、第２の基板１３０は、ケース１１０に固定される。
【００６１】
以上に説明したように、基板接続装置１００は、作業者に第１の端子１４０の突出端部１４０ａと端子挿入穴１７１ｂとの位置関係を確認させながら、第２の基板１３０をケース１１０に対して矢印１００ａ（図１９参照）で示す方向に図２及び図３に示す位置まで移動させることができるので、従来と比較して容易に第１の基板１２０の回路と第２の基板１３０の回路とが作業者によって接続されることができる。
【００６２】
また、基板接続装置１００は、作業者に第１の端子１４０の突出端部１４０ａと端子挿入穴１７１ｂとの位置関係を確認させることができるので、第１の端子１４０の突出端部１４０ａが挿入されるべき端子挿入穴１７１ｂとは異なる端子挿入穴１７１ｂに誤って挿入されることを防止することができる。
【００６３】
また、基板接続装置１００は、作業者に第１の端子１４０の突出端部１４０ａと端子挿入穴１７１ｂとの位置関係を視認させることができるので、作業者に第１の端子１４０の突出端部１４０ａが端子挿入穴１７１ｂに挿入されている状態を確認させて第１の基板１２０の回路と第２の基板１３０の回路との接続に不良が生じることを防止することができる。
【００６４】
なお、基板接続装置１００は、本実施の形態において、第２の基板１３０の貫通穴１３１ｂ及びソケット１７０の端子挿入穴１７１ｂと、第２の基板１３０の貫通穴１３１ｂ及びソケット１７０の突起挿入穴１７１ｃと、第２の基板１３０の貫通穴１３１ｂ及びソケット１７０の突起挿入穴１７１ｄとの全てが、第２の基板１３０に対して第１の基板１２０側から第１の基板１２０側とは反対側に貫通している構成を有していたが、本発明によれば、何れか１組が、第２の基板１３０に対して第１の基板１２０側から第１の基板１２０側とは反対側に貫通している構成を有していれば良い。
【００６５】
また、基板接続装置１００は、第１の端子１４０を複数（１４本）備えていたので、複数の第１の端子１４０の突出端部１４０ａが作業者によってソケット１７０の複数の端子挿入穴１７１ｂに挿入されるときに、作業者に、第２の基板１３０に対して第１の基板１２０側とは反対側から、第２の基板１３０の貫通穴１３１ａ及びソケット１７０の複数の端子挿入穴１７１ｂを通して、第１の端子１４０の突出端部１４０ａとソケット１７０の端子挿入穴１７１ｂとの位置関係、及び、複数の第１の端子１４０の突出端部１４０ａに対するソケット１７０の複数の端子挿入穴１７１ｂの角度を視認させることができる。
【００６６】
また、基板接続装置１００は、第１の端子１４０を複数備えていたので、第１の基板１２０と第２の基板１３０との間で複数の信号の入出力を行うことができる。
【００６７】
なお、本発明によれば、第１の端子１４０は、１本であっても良いし、１４本以外の複数本であっても良い。
【００６８】
また、基板接続装置１００は、シールド板１９０が金属製であるので、シールド板１９０を備えていない場合と比較して、第１の基板１２０の回路と第２の基板１３０の回路との何れか一方が他方へ放射する電磁波を遮蔽させることができる。
【００６９】
なお、本発明によれば、基板接続装置１００は、シールド板１９０を備えていなくても良い。
【００７０】
また、シールド板１９０は、本実施の形態において、電磁波を遮蔽する材料として金属から形成されていたが、本発明によれば、金属以外の材料から形成されていても良い。
【００７１】
また、基板接続装置１００は、本実施の形態において、ソケット１７０の本体１７１が第２の基板１３０に対して第１の基板１２０側に配置された構成を有していたが、本発明によれば、ソケット１７０の本体１７１が第２の基板１３０に対して第１の基板１２０側に配置された構成と比較して装置が大型化するものの、ソケット１７０の本体１７１が第２の基板１３０に対して第１の基板１２０側とは反対側に配置され、第１の端子１４０の突出端部１４０ａ、プラグ１６０の突起部１６１及び突起部１６２が、第２の基板１３０の貫通穴１３１ａを通過した後、ソケット１７０の端子挿入穴１７１ｂ、突起挿入穴１７１ｃ及び突起挿入穴１７１ｄに挿入される構成であっても良い。
【００７２】
また、基板接続装置１００は、本実施の形態において、ケース１１０に固定された第１の基板１２０に対して、第２の基板１３０が固定されていたが、本発明によれば、第１の基板１２０及び第２の基板１３０のうち第２の基板１３０が先にケース１１０に固定され、ケース１１０に固定された第２の基板１３０に対して、第１の基板１２０が固定されても良い。
【００７３】
また、基板接続装置１００は、本実施の形態において、作業者によって手作業で組み立てられていたが、本発明によれば、以下のように図示していない組立装置によって自動的に組み立てることもできる。
【００７４】
まず、組立装置は、準備工程において、図１１から図１４までに示すようなケース１１０、第１の基板１２０、第１の端子１４０、コネクタ１５０、プラグ１６０及びシールド板１９０が互いに固定されたものと、図１５から図１８までに示すような第２の基板１３０、ソケット１７０及び第２の端子１８０が互いに固定されたものとを準備し、配置工程において、第１の端子１４０の突出端部１４０ａ、プラグ１６０の突起部１６１及び突起部１６２が第２の基板１３０側に突出するように、第１の基板１２０及び第２の基板１３０を互いに対向して配置する。
【００７５】
次いで、組立装置は、検出工程において、第２の基板１３０に対して第１の基板１２０側とは反対側から、第２の基板１３０の貫通穴１３１ａ、ソケット１７０の端子挿入穴１７１ｂ、突起挿入穴１７１ｃ及び突起挿入穴１７１ｄを通して、第１の端子１４０の突出端部１４０ａ、プラグ１６０の突起部１６１及び突起部１６２を検出する。
【００７６】
ここで、第１の端子１４０の突出端部１４０ａ、プラグ１６０の突起部１６１及び突起部１６２は、例えば、第２の基板１３０に対して第１の基板１２０側とは反対側から撮影した画像から、ソケット１７０の端子挿入穴１７１ｂ、突起挿入穴１７１ｃ及び突起挿入穴１７１ｄと、第１の端子１４０の突出端部１４０ａ、プラグ１６０の突起部１６１及び突起部１６２とのパターン認識処理を行うことで検出されることができる。
【００７７】
そして、組立装置は、第１の端子１４０の突出端部１４０ａ、プラグ１６０の突起部１６１及び突起部１６２が画像から検出される場合、ソケット１７０の端子挿入穴１７１ｂ、突起挿入穴１７１ｃ及び突起挿入穴１７１ｄと、第１の端子１４０の突出端部１４０ａ、プラグ１６０の突起部１６１及び突起部１６２との位置にズレが生じているとき、ズレの量に応じて第２の基板１３０を第１の基板１２０に対して矢印１００ａ（図１９参照）で示す方向に略直交する平面内で移動又は回動させることができる。
【００７８】
また、第１の端子１４０の突出端部１４０ａ、プラグ１６０の突起部１６１及び突起部１６２は、例えば、第２の基板１３０に対して第１の基板１２０側とは反対側から、第１の端子１４０の突出端部１４０ａ、プラグ１６０の突起部１６１及び突起部１６２側に光を照射し、ソケット１７０の端子挿入穴１７１ｂ、突起挿入穴１７１ｃ及び突起挿入穴１７１ｄと、第１の端子１４０の突出端部１４０ａ、プラグ１６０の突起部１６１及び突起部１６２との位置が一致したときに第１の端子１４０の突出端部１４０ａ、プラグ１６０の突起部１６１及び突起部１６２で反射した光と、一致しなかったときに第１の端子１４０の突出端部１４０ａ、プラグ１６０の突起部１６１及び突起部１６２以外で反射した光との強度や色調の違いから、検出されることができる。
【００７９】
そして、組立装置は、第１の端子１４０の突出端部１４０ａ、プラグ１６０の突起部１６１及び突起部１６２が反射した光の強度や色調の違いから検出される場合、ソケット１７０の端子挿入穴１７１ｂ、突起挿入穴１７１ｃ及び突起挿入穴１７１ｄと、第１の端子１４０の突出端部１４０ａ、プラグ１６０の突起部１６１及び突起部１６２との位置にズレが生じているとき、第２の基板１３０を第１の基板１２０に対して矢印１００ａ（図１９参照）で示す方向に略直交する平面内で移動又は回動させることができる。
【００８０】
次いで、組立装置は、検出工程で第１の端子１４０の突出端部１４０ａ、プラグ１６０の突起部１６１及び突起部１６２が検出されたとき、固定工程において、第１の端子１４０の突出端部１４０ａ、プラグ１６０の突起部１６１及び突起部１６２がソケット１７０の端子挿入穴１７１ｂ、突起挿入穴１７１ｃ及び突起挿入穴１７１ｄに挿入されるように、第１の基板１２０に対して第２の基板１３０を矢印１００ａ（図１９参照）で示す方向に移動して固定する。
【００８１】
また、電子機器８００は、本実施の形態において、ナビゲーション装置であったが、本発明によれば、ナビゲーション装置以外の電子機器であっても良い。
【００８２】
【発明の効果】
以上説明したように、本発明によれば、従来と比較して容易な作業で第１の基板の回路と第２の基板の回路とが接続される基板接続装置を提供することができる。
【図面の簡単な説明】
【図１】本発明の一実施の形態に係る基板接続装置の上面図
【図２】図１に示す基板接続装置の側面断面図
【図３】図１に示す基板接続装置の正面断面図
【図４】図１に示す基板接続装置のケース及びシールド板の上面図
【図５】図１に示す基板接続装置の第１の基板の上面図
【図６】図１に示す基板接続装置を備えた電子機器の上面図
【図７】図１に示す基板接続装置の第２の基板の上面図
【図８】図１に示す基板接続装置の第１の端子、コネクタ及びプラグの上面図
【図９】図１に示す基板接続装置のソケット及び第２の端子の上面図
【図１０】図５に示す第１の基板に、図８に示す第１の端子及びコネクタ及びプラグが固定された状態での、第１の基板、第１の端子、コネクタ及びプラグの上面図
【図１１】図４に示すケース及びシールド板に、図１０に示す第１の基板、第１の端子、コネクタ及びプラグが固定された状態での、ケース、シールド板、第１の基板、第１の端子、コネクタ及びプラグの上面図
【図１２】図１１に示すケース、シールド板、第１の基板、第１の端子、コネクタ及びプラグの第１の端子の近傍の上面図
【図１３】図１１に示すケース、シールド板、第１の基板、第１の端子、コネクタ及びプラグの第１の端子の近傍の側面断面図
【図１４】図１１に示すケース、シールド板、第１の基板、第１の端子、コネクタ及びプラグの第１の端子の近傍の正面断面図
【図１５】図７に示す第２の基板に、図９に示すソケット及び第２の端子が固定された状態での、第２の基板、ソケット及び第２の端子の上面図
【図１６】図１５に示す第２の基板、ソケット及び第２の端子の第２の端子の近傍の上面図
【図１７】図１５に示す第２の基板、ソケット及び第２の端子の第２の端子の近傍の側面断面図
【図１８】図１５に示す第２の基板、ソケット及び第２の端子の第２の端子の近傍の正面断面図
【図１９】図１１に示すケース、シールド板、第１の基板、第１の端子、コネクタ及びプラグに、図１５に示す第２の基板、ソケット及び第２の端子が固定される前の状態での、基板接続装置の正面断面図
【図２０】従来の基板接続装置の上面図
【図２１】図２０に示す基板接続装置の側面断面図
【図２２】図２０に示す基板接続装置の正面断面図
【図２３】ケース、第１の基板、第１の端子、コネクタ及びプラグに、第２の基板、ソケット及び第２の端子が固定される前の状態での、図２０に示す基板接続装置の正面断面図
【符号の説明】
８００　　　電子機器
１００　　　基板接続装置
１２０　　　第１の基板
１３０　　　第２の基板
１３１ｂ　　　貫通穴
１４０　　　第１の端子
１４０ａ　　　突出端部
１６１　　　突起部
１６１ａ　　　端部
１６２　　　突起部
１６２ａ　　　端部
１７０　　　ソケット（端子挿入部、突起挿入部）
１７１ｂ　　　端子挿入穴
１７１ｃ、１７１ｄ　　　突起挿入穴
１８０　　　第２の端子
１８０ａ　　　導出端部
１９０　　　シールド板（遮蔽部）
１９０ａ　　　通過穴
【図１】
2004006086.tif 000003
【図２】
2004006086.tif 000004
【図３】
2004006086.tif 000005
【図４】
2004006086.tif 000006
【図５】
2004006086.tif 000007
【図６】
2004006086.tif 000008
【図７】
2004006086.tif 000009
【図８】
2004006086.tif 000010
【図９】
2004006086.tif 000011
【図１０】
2004006086.tif 000012
【図１１】
2004006086.tif 000013
【図１２】
2004006086.tif 000014
【図１３】
2004006086.tif 000015
【図１４】
2004006086.tif 000016
【図１５】
2004006086.tif 000017
【図１６】
2004006086.tif 000018
【図１７】
2004006086.tif 000019
【図１８】
2004006086.tif 000020
【図１９】
2004006086.tif 000021
【図２０】
2004006086.tif 000022
【図２１】
2004006086.tif 000023
【図２２】
2004006086.tif 000024
【図２３】
2004006086.tif 000025